【手続補正書】
【提出日】平成19年6月5日(2007.6.5)
【手続補正１】
【補正対象書類名】明細書
【補正対象項目名】特許請求の範囲
【補正方法】変更
【補正の内容】
【特許請求の範囲】
【請求項１】リアルタイムデータ通信における、通信路によって送信されるデータパケットの圧縮ヘッダにおいて圧縮されたタイムスタンプフィールドを生成するためにタイムスタンプ情報を圧縮する方法であって、
タイムスタンプ情報の最下位の部分を選択および抽出することと、
抽出した最下位の部分を圧縮されたタイムスタンプフィールドにおける圧縮されたタイムスタンプ情報として付与することとを含む方法。
【請求項２】タイムスタンプ情報からチェックサムを生成することと、抽出した最下位の部分とともに、圧縮されたタイムスタンプフィールドにチェックサムを付与することとを含む、請求項１記載の方法。
【請求項３】前記抽出工程前にタイムスタンプ情報を基準化することを含む、請求項１記載の方法。
【請求項４】パケットが音声を搬送するＲＴＰ／ＵＤＰ／ＩＰパケットのストリームを送信するためにリアルタイム通信サービスにおいて使用されるパケットである、請求項１記載の方法。
【請求項５】抽出した最下位の部分とともに、圧縮されたタイムスタンプフィールドに所定のコードを付与することを含み、所定のコードが、そのパケットに関係するタイムスタンプ情報が容易に予測可能ではないことを指示するものである、請求項４記載の方法。
【請求項６】パケットはリアルタイム音声サービスにおいて使用される音声パケットであり、所定のコードは、音声パケットが音声非活動状態の期間後に送信された最初の音声パケットであることを指示するものである、請求項５記載の方法。
【請求項７】タイムスタンプ情報は複数のビットによって表現されたタイムスタンプ値を含み、前記抽出工程は選択された最下位ビットを複数のビットから抽出することを含む、請求項１記載の方法。
【請求項８】所要のタイムスタンプ情報を生成するために通信路から受信されたリアルタイムデータパケットの圧縮ヘッダにおける圧縮されたタイムスタンプフィールドを伸張する方法であって、
受信リアルタイムパケットの着信時刻と以前に受信したパケットの着信時刻との間の時間差を決定することと、
時間差および、以前に受信したパケットに関係する別のタイムスタンプ情報に基づき所要のタイムスタンプ情報の推定値を生成することとを含むことを特徴とする方法。
【請求項９】通信路の送信端において所要のタイムスタンプ情報から導出された圧縮情報の受信バージョンを圧縮ヘッダから取得することと、所要のタイムスタンプ情報の推測値を生成するために、推定値の一部を圧縮情報の受信バージョンと結合することとを含む、請求項８記載の方法。
【請求項１０】推測値からチェックサムを生成することと、送信端において所要のタイムスタンプ情報から生成されたチェックサムの受信バージョンを圧縮ヘッダから取得することと、推測値が正しいかどうかを判定するために生成したチェックサムを受信したチェックサムバージョンと比較することとを含む、請求項９記載の方法。
【請求項１１】所要のタイムスタンプ情報はタイムスタンプ値を含み、圧縮された情報の受信バージョンはタイムスタンプ値の選択された最下位の部分の受信バージョンを含み、前記結合工程が、最下位の部分の受信バージョンを推定値の選択された最上位の部分に付加することを含む、請求項９記載の方法。
【請求項１２】前記生成工程が、送信端における圧縮情報の導出の前に所要のタイムスタンプ情報に実行される基準化操作に対応して推定値を基準化することを含む、請求項９記載の方法。
【請求項１３】前記決定工程は時間差を定量化するために時間単位を使用することを含む、請求項８記載の方法。
【請求項１４】前記決定工程が、時間単位当たりのタイムスタンプの数の推定値を付与することと、時間単位をタイムスタンプ単位に変換するために時間単位当たりのタイムスタンプの推定された数を使用することと、時間差を定量化するためにタイムスタンプ単位を使用することとを含む、請求項１３記載の方法。
【請求項１５】前記生成工程が、タイムスタンプ単位によって定量化された時間差を以前に受信したパケットに関係するタイムスタンプ値に加算して推定値を生成することを含む、請求項１４記載の方法。
【請求項１６】通信路によって送信されるリアルタイムデータパケットの圧縮ヘッダにおいて圧縮されたタイムスタンプフィールドを生成するためにタイムスタンプ情報を圧縮する装置であって、
前記圧縮ヘッダからのタイムスタンプ情報を受け取るための入力と、
前記入力と結合され、タイムスタンプ情報からその最下位の部分を選択および抽出する抽出器と、
前記抽出器と結合され、前記抽出した最下位の部分を、圧縮されたタイムスタンプフィールドの圧縮されたタイムスタンプ情報として供給する出力とを含むことを特徴とする装置。
【請求項１７】前記入力と前記抽出器との間に結合され、タイムスタンプ情報を基準化する基準化装置を含む、請求項１６記載の装置。
【請求項１８】パケットがリアルタイム通信サービスにおいて使用されるパケットである、請求項１６記載の装置。
【請求項１９】前記出力が前記抽出した最下位の部分とともに圧縮タイムスタンプフィールドへの包含のために所定のコードを受け取るように結合されており、前記所定のコードは、そのパケットに関係するタイムスタンプ情報が容易に予測可能ではないことを指示するために付与される、請求項１８記載の装置。
【請求項２０】  パケットがリアルタイム音声サービスにおいて使用される音声パケットであり、所定のコードは、音声パケットが音声非活動状態の期間後に送信された最初の音声パケットであることを指示するものである、請求項１９記載の装置。
【請求項２１】タイムスタンプ情報が複数のビットによって表現されたタイムスタンプ値を含み、前記抽出器は選択された最下位ビットを前記複数のビットから抽出するように動作可能である、請求項１６記載の装置。
【請求項２２】所要のタイムスタンプ情報を生成するために通信路から受信されたリアルタイムデータパケットの圧縮ヘッダにおける圧縮されたタイムスタンプフィールドを伸張する装置であって、
通信路からパケットを受け取るためのパケット入力を有し、
前記パケット入力と結合され、受信パケットの着信の時刻を記録する時刻記録装置と、
前記時刻記録装置と結合され、前記時刻記録装置から受け取った情報に応答して、前記受信パケットの着信時刻と以前に受信したパケットの着信との間の時間差を決定する推定器とを含み、
前記推定器が、前記以前に受信したパケットに関係するタイムスタンプ情報を受け取るための入力を有しており、前記推定器が、前記時間差および、前記以前に受信したパケットに関係する前記タイムスタンプ情報に基づき圧縮ヘッダから所要のタイムスタンプ情報の推定値を生成するように動作可能であることを特徴とする装置。
【請求項２３】通信路の送信端において所要のタイムスタンプ情報から導出された圧縮情報の受信バージョンを受け取るための入力と、前記推定器と結合され、前記推定値を受け取り、その一部を抽出する抽出器と、前記抽出器および前記最後に言及した入力と結合され、前記推定値の前記抽出した部分を圧縮された情報の前記受信バージョンと結合して所要のタイムスタンプ情報の推測値を生成するアペンド装置とを含む、請求項２２記載の装置。
【請求項２４】所要のタイムスタンプ情報はタイムスタンプ値を含み、圧縮された情報の受信バージョンは、タイムスタンプ値の選択された最下位の部分の受信バージョンを含み、前記抽出器は、前記推定値からその最上位の部分を抽出するように動作可能であり、前記アペンド装置は、最下位の部分の受信バージョンを、前記推定値から抽出した最上位の部分に付加するように動作可能である、請求項２３記載の装置。
【請求項２５】リアルタイムデータパケットに関係するタイムスタンプ情報を通信路によって通信する方法であって、
タイムスタンプ情報の第１の部分を選択および抽出することと、
抽出した第１の部分をデータパケットのヘッダのタイムスタンプフィールドにおける圧縮したタイムスタンプ情報として付与することと、
通信路によってデータパケットを送信することと、
通信路からリアルタイムデータパケットを受信することと、
受信パケットの着信時刻と以前に受信したパケットの着信時刻との間の時間差を決定することと、
前記時間差および、以前に受信したパケットに関係する別のタイムスタンプ情報に基づきタイムスタンプ情報の第２の部分の推定値を生成することと、
第１および第２の部分を結合してタイムスタンプ情報を再構成することとを含むことを特徴とする方法。